(57)【要約】【課題】利便性を高めた電子機器を提供する。【解決手段】近接センサ１８と、ディスプレイ１４と、ディスプレイの画面表示を制御するコントローラ１１と、を備え、コントローラは、近接センサにより検出されたユーザのジェスチャ操作に基づいて処理をする所定のモードの場合に、ディスプレイの画面表示を常にオン状態にする。さらに、コントローラは、モードが所定のモードであって、かつ、ユーザの最後の操作から所定時間が経過した場合に、ディスプレイの輝度を低下させてもよい。【選択図】図１
2018050175.tif 000002
【特許請求の範囲】
【請求項１】
近接センサと、ディスプレイと、前記ディスプレイの画面表示を制御するコントローラと、を備え、
前記コントローラは、
前記近接センサにより検出されたユーザのジェスチャ操作に基づいて処理をする所定のモードの場合に、前記ディスプレイの画面表示を常にオン状態にする、電子機器。
【請求項２】
前記コントローラは、
前記所定のモードであって、かつ、前記ユーザの最後の操作から所定時間が経過した場合に、前記ディスプレイの輝度を低下させる、請求項１に記載の電子機器。
【請求項３】
タッチパネルを備え、
前記ディスプレイは、タッチスクリーンと一体化されて前記タッチパネルを構成し、
前記コントローラは、
モードが前記所定のモードの場合に、前記タッチスクリーンによるユーザの接触操作の検出を無効にする、請求項１または２に記載の電子機器。
【発明の詳細な説明】
【技術分野】
【０００１】
本発明は、電子機器に関する。
【背景技術】
【０００２】
例えばスマートフォン、タブレット端末等の電子機器は、一般にタッチパネルを備えている。ユーザは、このような電子機器を、タッチパネルに触れることで制御するのが一般的である。近年、ユーザが端末から離れて行うジェスチャを例えば赤外線センサによって検出し、ジェスチャと対応する入力操作を実行する電子機器が知られている（例えば特許文献１）。
【先行技術文献】
【特許文献】
【０００３】
【特許文献１】特開２０１５−２２５４９３号公報
【発明の概要】
【発明が解決しようとする課題】
【０００４】
ここで、スマートフォン、タブレット端末等の電子機器は、ユーザがタッチパネルに触れない状態が続くと消費電力を抑えるために画面をオフ状態にする（画面表示を中断する）。また、このような電子機器は、電源ボタンが押された場合にも画面をオフ状態にする。画面をオン状態に復帰する（画面表示を再開する）前には、ユーザ認証のためにＰＩＮコード（パスワード）を入力するセキュリティロック画面が表示されるのが一般的である。
【０００５】
ジェスチャによる制御を可能にする電子機器であっても、画面をオン状態に復帰する前にはセキュリティロック画面が表示されるのが一般的である。ユーザは、例えば手が汚れている場合であっても、画面表示を再開するためには、タッチパネルに接触しなければならなかった。そのため、電子機器の利便性に改善の余地があった。
【０００６】
かかる事情に鑑みてなされた本発明の目的は、利便性を高めた電子機器を提供することにある。
【課題を解決するための手段】
【０００７】
本発明の実施形態に係る電子機器は、近接センサと、ディスプレイと、前記ディスプレイの画面表示を制御するコントローラと、を備え、前記コントローラは、前記近接センサにより検出されたユーザのジェスチャ操作に基づいて処理をする所定のモードの場合に、前記ディスプレイの画面表示を常にオン状態にする。
【発明の効果】
【０００８】
本発明の一実施形態によれば、利便性を高めた電子機器を提供することができる。
【図面の簡単な説明】
【０００９】
【図１】一実施形態に係る電子機器の概略構成図である。
【図２】ユーザがジェスチャにより電子機器を操作する様子を示す図である。
【図３】ユーザがジェスチャにより電子機器を操作する状況の一例を示す図である。
【図４】図４（ａ）は電子機器の通常の画面、図４（ｂ）はオフ状態となった画面、図４（ｃ）はセキュリティロック画面の一例を示す図である。
【図５】一実施形態に係る電子機器が実行するモード設定の処理の一例を示すフローチャートである。
【図６】一実施形態に係る電子機器が実行するモードに応じた画面の表示処理の一例を示すフローチャートである。
【発明を実施するための形態】
【００１０】
（電子機器の構成）
図１に示すように一実施形態の電子機器１は、ディスプレイ１４と、ストレージ１６と、通信ユニット１７と、近接センサ１８（ジェスチャセンサ）と、加速度センサ２１と、コントローラ１１と、を備える。電子機器１はさらに、タイマー１２と、カメラ１３と、マイク１５と、ＵＶセンサ１９と、照度センサ２０と、地磁気センサ２２と、気圧センサ２３と、ジャイロセンサ２４と、を備える。図１は例示である。電子機器１は図１に示す構成要素の全てを含まなくてもよい。また、電子機器１は図１に示す以外の構成要素を備えていてもよい。
【００１１】
ディスプレイ１４は画面を表示する。画面は、例えば文字、画像、記号および図形等の少なくとも一つを含む。ディスプレイ１４は、液晶ディスプレイ（Liquid Crystal Display）、有機ＥＬパネル（Organic Electro-Luminescence Panel）、または無機ＥＬパネル（Inorganic Electro-Luminescence Panel）等であってもよい。本実施形態において、ディスプレイ１４は、タッチスクリーンと一体化されてタッチパネルを構成する。タッチスクリーンは、指またはスタイラスペン等の接触を検出して、その接触位置を特定する。ディスプレイ１４と一体化されたタッチスクリーンは、指またはスタイラスペン等が接触した位置を同時に複数検出することができる。
【００１２】
ストレージ１６は記憶部としてプログラムおよびデータを記憶する。ストレージ１６は、コントローラ１１の処理結果を一時的に記憶する。ストレージ１６は、半導体記憶デバイス、および磁気記憶デバイス等の任意の記憶デバイスを含んでよい。ストレージ１６は、複数の種類の記憶デバイスを含んでよい。ストレージ１６は、メモリカード等の可搬の記憶媒体と、記憶媒体の読み取り装置との組み合わせを含んでよい。
【００１３】
ストレージ１６に記憶されるプログラムには、フォアグランドまたはバックグランドで実行されるアプリケーションと、アプリケーションの動作を支援する制御プログラムとを含む。アプリケーションは、例えば、ジェスチャに応じた処理をコントローラ１１に実行させる。制御プログラムは、例えば、ＯＳ（Operating System）である。アプリケーションおよび制御プログラムは、通信ユニット１７による通信または記憶媒体を介してストレージ１６にインストールされてもよい。
【００１４】
通信ユニット１７は、有線または無線により通信するためのインタフェースである。一実施形態の通信ユニット１７によって行われる通信方式は、無線通信規格である。例えば、無線通信規格として、２Ｇ、３Ｇ、４Ｇ等のセルラーフォンの通信規格がある。例えばセルラーフォンの通信規格は、ＬＴＥ（Long Term Evolution）、Ｗ−ＣＤＭＡ（WidebandCode Division MultipleAccess）、ＣＤＭＡ２０００、ＰＤＣ（Personal Digital Cellular）、ＧＳＭ（登録商標）（Global System for Mobilecommunications）、ＰＨＳ（Personal Handy-phone System）等を含む。例えば、無線通信規格として、ＷｉＭＡＸ（WorldwideInteroperability for Microwave Access）、ＩＥＥＥ８０２．１１、Ｂｌｕｅｔｏｏｔｈ（登録商標）、ＩｒＤＡ（InfraredData Association）、ＮＦＣ（Near Field Communication）等がある。通信ユニット１７は、上述した通信規格の１つまたは複数をサポートすることができる。
【００１５】
近接センサ１８は、電子機器１の周囲の対象物との相対距離、対象物の移動方向等を非接触で検出する。一実施形態の近接センサ１８は白、赤、緑および青を感知する４つの可視光フォトダイオードを有し、対象物との相対距離を測定することができる。また近接センサ１８は１つの光源用赤外ＬＥＤ（Light Emitting Diode）と上下左右を感知する４つの赤外フォトダイオードとを有する。近接センサ１８は、光源用赤外ＬＥＤからの赤外光が照射された対象物からの反射光がそれぞれの赤外フォトダイオードに入射する時間差により対象物の移動方向を検出する。したがって、近接センサ１８は、電子機器１の使用者が電子機器１に触れずに行うエアジェスチャ（以下、単にジェスチャと称する。）を検出することができる。
【００１６】
加速度センサ２１は、電子機器１に働く加速度の方向および大きさを検出する。加速度センサ２１は、ｘ軸方向、ｙ軸方向およびｚ軸方向の加速度を検出する３軸（３次元）タイプである。加速度センサ２１の種類は限定されない。加速度センサ２１は、例えばピエゾ抵抗型であってもよい。また、加速度センサ２１は例えば静電容量型であってもよい。また、加速度センサ２１は例えば圧電素子（圧電式）または熱検知型によるＭＥＭＳ（Micro Electro Mechanical Systems）式であってもよい。また、加速度センサ２１は、例えば可動コイルを動かしてフィードバック電流によってもとに戻すサーボ式であってもよい。また、加速度センサ２１は、加速度によって生じる歪を歪ゲージによって測定する歪ゲージ式であってもよい。
【００１７】
コントローラ１１は、例えばＣＰＵ（Central Processing Unit）等のプロセッサである。コントローラ１１は、他の構成要素が統合されたＳｏＣ（System-on-a-Chip）等の集積回路であってもよい。コントローラ１１は、複数の集積回路を組み合わせて構成されてもよい。コントローラ１１は、電子機器１の動作を統括的に制御して各種の機能を実現する。
【００１８】
具体的にはコントローラ１１は、ストレージ１６に記憶されているデータを必要に応じて参照する。コントローラ１１は、ストレージ１６に記憶されているプログラムに含まれる命令を実行してディスプレイ１４等の他の機能部を制御することによって各種機能を実現する。
【００１９】
後述する通り、コントローラ１１はディスプレイ１４の画面表示を中断するか否かを制御する。また、コントローラ１１はセキュリティロック画面を表示させるか否かも制御する。
【００２０】
タイマー１２はコントローラ１１からタイマー動作の指示を受け、所定時間経過した時点で、その旨を示す信号をコントローラ１１に出力する。タイマー１２は図１に示すようにコントローラ１１の外部に備えられていてもよいし、コントローラ１１の内部に含まれてもよい。
【００２１】
カメラ１３は、電子機器１の周囲の被写体を撮像する。カメラ１３は一例として、電子機器１のディスプレイ１４が設けられる面に設けられるインカメラである。
【００２２】
マイク１５は、人が発する声を含む、電子機器１の周囲の音を検出する。
【００２３】
ＵＶセンサ１９は、太陽光等に含まれる紫外線（Ultraviolet）量を測定することができる。
【００２４】
照度センサ２０は、当該照度センサ２０に入射する周囲光の照度を検出する。
【００２５】
地磁気センサ２２は、地磁気の向きを検出する。例えば電子機器１の向きを地面に平行な面上に投影した成分が、地磁気センサ２２で取得される向き情報である。地磁気センサ２２で取得される向き情報は、電子機器１の方位である。
【００２６】
気圧センサ２３は、電子機器１の外側の気圧（大気圧）を検出する。
【００２７】
ジャイロセンサ２４は、電子機器１の角速度を検出する。コントローラ１１は、ジャイロセンサ２４により取得された角速度を１回時間積分することにより、電子機器１の向きを測定することができる。
【００２８】
（ジェスチャによる電子機器の操作）
図２は、ユーザがジェスチャにより電子機器１を操作する様子を示す。図２では一例として電子機器１はスタンドにより支持される。代替例として電子機器１は壁に立てかけられたり、テーブルに置かれたりしてもよい。近接センサ１８がユーザのジェスチャを検出すると、コントローラ１１は当該ジェスチャに基づく処理を行う。ジェスチャに基づく処理とは、ディスプレイ１４に表示された画面のスクロール、およびディスプレイ１４に表示された画面の拡大または縮小等である。例えば、本実施形態において、ユーザがディスプレイ１４の長手方向で下方から上方（図２の矢印の方向）へと手を動かすジェスチャを行うと、ディスプレイ１４に表示された画面が下方から上方（図２の矢印の方向）へとスクロールする。
【００２９】
図２に示す電子機器１はスマートフォンである。代替例として電子機器１は例えば、携帯電話端末、ファブレット、タブレットＰＣまたはフィーチャーフォン等でもよい。また、電子機器１は、上記のものに限定されず、例えば、ＰＤＡ、リモコン端末、携帯音楽プレイヤー、ゲーム機、電子書籍リーダ、カーナビゲーション、家電製品、産業用機器（ＦＡ機器）等でもよい。
【００３０】
図３は、ユーザがジェスチャにより電子機器１を操作する状況の一例を示す。図３の例で、ユーザは料理のレシピを電子機器１のディスプレイ１４に表示しながら、キッチンでレシピに従って料理をしている。上記のように、近接センサ１８はユーザのジェスチャを検出する。そして、コントローラ１１は近接センサ１８が検出したジェスチャに基づく処理を行う。コントローラ１１は特定のジェスチャ（例えばユーザが手を上下に動かすジェスチャ）に応じてレシピをスクロールする処理が可能である。料理中は、ユーザの手が汚れたり、濡れたりすることがある。しかし、ユーザは電子機器１に触れることなく、特定のジェスチャによってレシピをスクロールすることができる。したがって、ディスプレイ１４が汚れること、および料理中のユーザの手にディスプレイ１４の汚れが移ることを回避することができる。
【００３１】
（セキュリティロック画面）
ここで、図４（ａ）は、ユーザがアプリケーションを用いて電子機器１に通常の画面表示を実行させている一例を示す。例えば、図４（ａ）の例では、ユーザはブラウザを起動して画面３０Ａとして料理のレシピを表示させている。スマートフォン、タブレット端末等の電子機器１は、ユーザがタッチパネルに触れない状態が続くと、消費電力を抑えるために画面をオフ状態にする（画面表示を中断する）。図４（ｂ）は電子機器１がオフ状態となって非表示状態（画面３０Ｂ）となった様子を例示する。また、このような電子機器１は、電源ボタンが押された場合にも画面をオフ状態にする。例えば、調理中のユーザが電子機器１の電源ボタンに誤って触れた場合にも、電子機器１のディスプレイ１４は図４（ｂ）のように変化する。そして、図４（ｂ）に示されるような画面表示を中断した状態からアプリケーションによる通常の画面表示に復帰する場合には、ユーザ認証のためにＰＩＮコード（パスワード）を入力するセキュリティロック画面が表示される。図４（ｃ）はセキュリティロック画面３０Ｃを例示する。ユーザが、セキュリティロック画面３０Ｃに正しいパスワードを入力すると、電子機器１がオフ状態となる前の画面３０Ａに復帰する。
【００３２】
ここで、電子機器１は、近接センサ１８が検出したジェスチャに基づく処理を行うことが可能である。しかし、パスワードの入力には正確を期するためにタッチパネルへの接触が要求される。仮に、常にセキュリティロック画面３０Ｃが表示されるとすると、ユーザは、例えば手が汚れている料理中であってもタッチパネルに接触する必要がある。そこで、利便性を高めるために、電子機器１は図５および図６を参照して説明する以下の処理を実行する。
【００３３】
（モード設定）
電子機器１はモードを複数有する。モードとは電子機器１の全体の動作について制限等を与える動作モード（動作状態、動作状況）を意味する。モードは同時に１つだけ選択可能である。本実施形態において、電子機器１は第１モードおよび第２モードを有する。第２モードは、キッチンでレシピを表示しながら料理を行うのに最適な電子機器１の動作モード（キッチンモード）である。第２モードは、所定のモードに対応する。一方、第１モードは、例えばキッチン以外の部屋、および外出先等での使用に適している通常の動作モード（通常モード）である。第１モードおよび第２モードの詳細な説明については後述する。
【００３４】
ここで、電子機器１は更に別のモードを有していてもよい。電子機器１は例えば低電力モードおよび機内モードを更に有していてもよい。低電力モードはコントローラ１１を低速で動作させてバッテリーを長持ちさせるモードである。また、機内モードは通信ユニット１７による無線通信を停止させるモードである。以下では電子機器１のモードは第１モードおよび第２モードだけであるとして説明する。
【００３５】
図５は、電子機器１が実行するモード設定の処理の一例を示すフローチャートである。まず、コントローラ１１は、電子機器１の起動時に、モードを第１モードに設定する（ステップＳ１）。第１モードが標準のモードである。例えば、第２モードで動作する電子機器１の電源をオフにして再起動すると、コントローラ１１は（第２モードを解除して）第１モードに設定する。
【００３６】
コントローラ１１は、タッチスクリーンによるユーザの接触操作の検出を有効にする（ステップＳ２）。また、コントローラ１１は、近接センサ１８によるユーザのジェスチャ操作の検出を無効にする（ステップＳ３）。コントローラ１１は、ステップＳ３によって、ユーザのジェスチャ操作と接触操作との競合を回避する（例えば、ユーザの接触操作を近接センサ１８がジェスチャ操作として検出することを回避する）。つまり、ステップＳ２およびステップＳ３によって、コントローラ１１はユーザのタッチパネルへの接触操作を一層正確に検出することができる。
【００３７】
コントローラ１１は、第２モード設定条件が満たされるまで、第１モードを維持しながら待機する（ステップＳ４のＮｏ）。コントローラ１１は、第２モード設定条件が満たされると（ステップＳ４のＹｅｓ）、モードを第２モードに設定する（ステップＳ５）。本実施形態において、第２モード設定条件は、ユーザが電子機器１の設定画面で、モードを第１モード（通常モード）から第２モード（キッチンモード）に設定することである。ここで、第２モード設定条件は、ユーザが第１モードでブラウザを起動して料理のレシピを表示させることを含んでもよい。
【００３８】
コントローラ１１は、近接センサ１８によるユーザのジェスチャ操作の検出を有効にする（ステップＳ６）。また、コントローラ１１は、ディスプレイ１４と一体化されてタッチパネルを構成しているタッチスクリーンによるユーザの接触操作の検出を無効にする（ステップＳ７）。コントローラ１１は、ステップＳ７によって、ユーザのジェスチャ操作と接触操作との競合を回避する。つまり、ステップＳ６およびステップＳ７によって、コントローラ１１はユーザのジェスチャ操作を一層正確に検出することができる。
【００３９】
コントローラ１１は、第１モード設定条件が満たされるまで、第２モードを維持しながら待機する（ステップＳ８のＮｏ）。コントローラ１１は、第１モード設定条件が満たされると（ステップＳ８のＹｅｓ）、モードを第１モードに設定するためにステップＳ１の処理に戻る。本実施形態において、第１モード設定条件は、ユーザが電子機器１の設定画面で、モードを第２モード（キッチンモード）から第１モード（通常モード）に変更することである。さらに、第１モード設定条件は、ユーザが第２モードで料理のレシピを表示させていたブラウザを終了することを含んでもよい。また、第１モード設定条件は、ユーザがブラウザで料理のレシピ以外を表示させること、料理のレシピとは関係のないアプリケーションを起動すること、を含んでもよい。また、代替例として、ユーザが電子機器１の設定画面を開いたこと（モードの変更までは含まない）を第１モード設定条件としてもよい。また、モードの設定は、例えば画面の端部をスワイプ等することで現れるノーティフィケーション（通知画面）から実行可能であってもよい。ノーティフィケーションが利用できる場合、ユーザは複数階層の設定画面をたどることなく、容易に素早くモード変更が可能である。
【００４０】
（モードに応じた画面の表示処理）
図６は、電子機器１が実行するモードに応じた画面の表示処理の一例を示すフローチャートである。コントローラ１１は上記のモード設定の処理とともに、以下に説明する画面の表示処理を行う。
【００４１】
コントローラ１１は、ユーザの最後の操作から所定時間が経過するまで待機する（ステップＳ１０１のＮｏ）。ここで、ユーザの最後の操作は、モードが第１モードであれば、例えば直近に行われたユーザのタッチスクリーンへの接触操作である。また、ユーザの最後の操作は、モードが第２モードであれば、例えば直近に行われたユーザのジェスチャ操作である。コントローラ１１は、ユーザの最後の操作から所定時間が経過すると（ステップＳ１０１のＹｅｓ）、ステップＳ１０２の処理を行う。所定時間は例えば３０秒である。所定時間は、ユーザが電子機器１の設定画面で変更可能であってもよい。
【００４２】
コントローラ１１は、モードが第２モードか否かを判定する（ステップＳ１０２）。コントローラ１１は、モードが第２モード、すなわちキッチンモードであるならば（ステップＳ１０２のＹｅｓ）、ディスプレイ１４の画面表示を中断させることも、セキュリティロック画面３０Ｃを表示させることも行わずに処理を終了する。つまり、コントローラ１１は、モードがキッチンモードであるならばディスプレイ１４の画面表示を常にオン状態にする。モードが第２モード（キッチンモード）の場合、ユーザはレシピ画面が常時表示されているので、中断されることなく料理を続けることが可能である。一方、コントローラ１１は、モードが第２モードでない、すなわち通常モードであるならば（ステップＳ１０２のＮｏ）、ステップＳ１０３の処理に進む。
【００４３】
コントローラ１１は、モードが通常モードであるならば、ディスプレイ１４の画面表示を中断させる（ステップＳ１０３）。ディスプレイ１４の画面表示が中断された場合、例えば図４（ｂ）のように黒い画面となる。
【００４４】
コントローラ１１は、画面への接触があるまで待機する（ステップＳ１０４のＮｏ）。つまり、ディスプレイ１４と一体化されてタッチパネルを構成しているタッチスクリーンによって、ユーザの接触操作が検出されるまで待機する。コントローラ１１は、ディスプレイ１４への接触があった場合に（ステップＳ１０４のＹｅｓ）、ステップＳ１０５の処理に進む。
【００４５】
コントローラ１１は、セキュリティロック画面３０Ｃをディスプレイ１４に表示させると（ステップＳ１０５）、関連する以下の処理を行う。まず、コントローラ１１は、タッチスクリーンにパスワードが入力されたか否かを判定する（ステップＳ１０６）。コントローラ１１は、パスワードが入力されたと判定する場合には（ステップＳ１０６のＹｅｓ）、ステップＳ１０７の処理に進む。コントローラ１１は、パスワードが入力されていないと判定する場合に（ステップＳ１０６のＮｏ）、ステップＳ１０３の処理に戻る。
【００４６】
コントローラ１１は、パスワードが入力されたと判定した場合、正しいパスワードであるか否かを判定する（ステップＳ１０７）。コントローラ１１は、正しいパスワードであれば（ステップＳ１０７のＹｅｓ）、ディスプレイ１４の画面表示を再開させて一連の処理を終了する（ステップＳ１０８）。一方、コントローラ１１は、正しいパスワードでなければ（ステップＳ１０７のＮｏ）、ステップＳ１０５の処理に戻る。
【００４７】
以上に説明したように、コントローラ１１は、モードが近接センサ１８により検出されたユーザのジェスチャ操作に基づいて処理をする所定のモード、すなわち第２モード（キッチンモード）の場合に、ディスプレイ１４の画面表示を常にオン状態にする。キッチンで手が汚れたり、濡れたりしている料理中のユーザは、第２モード（キッチンモード）で電子機器１を動作させることにより、ディスプレイ１４の画面表示が中断されないようにできる。このとき、ディスプレイ１４の画面表示が中断されないため、キッチンモードではセキュリティロック画面３０Ｃが表示されない。料理中のユーザは、解除操作のために接触操作をすることが不要になる。したがって、本実施形態によれば、電子機器１の利便性を高めることが可能である。
【００４８】
本実施形態において、コントローラ１１は、モードが所定のモード、すなわち第２モード（キッチンモード）の場合に、タッチスクリーンによるユーザの接触操作の検出を無効にする。このとき、ユーザのジェスチャ操作と接触操作との競合を回避する。つまり、コントローラ１１はユーザのジェスチャ操作を一層正確に検出することができる。ここで、電子機器１のモードが第２モード（キッチンモード）の場合に、セキュリティロック画面３０Ｃが表示されることはない。そのため、タッチスクリーンによるユーザの接触操作の検出を無効にしても操作上の問題（例えばパスワードを入力できない等の問題）は生じない。
【００４９】
（その他の実施形態）
本発明を図面や実施形態に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、或いは分割したりすることが可能である。
【００５０】
上記の実施形態では、コントローラ１１はモードが第２モード（キッチンモード）の場合に、ディスプレイ１４の画面表示を常にオン状態にする。この場合に、コントローラ１１はディスプレイ１４の輝度を調整してもよい。例えば、コントローラ１１は、モードが所定のモード、すなわち第２モード（キッチンモード）であって、かつ、ユーザの最後の操作から所定時間が経過した場合に、ディスプレイ１４の輝度を低下させてもよい。このとき、電子機器１は、ユーザが所望する画面を表示しつつも、輝度を下げることによって消費電力を抑えることができる。ここで、ディスプレイ１４の輝度が低下した場合に、ユーザが所定のジェスチャ操作をすることによって、ディスプレイ１４の輝度は低下する前の明るさに戻ってもよい。所定のジェスチャ操作は、例えば手を画面にかざすジェスチャであってもよいし、手を画面の一の端部から反対側の端部（例えば左端から右端）に通り抜けるように動かすジェスチャであってもよいし、指先で円を描くジェスチャであってもよい。
【００５１】
上記の実施形態では、コントローラ１１はユーザの最後の操作から所定時間が経過したかを判定（図６のステップＳ１０１参照）してから、モードが第２モードか否かを判定する（図６のステップＳ１０２参照）。しかし、コントローラ１１は、最初にモードが第２モードか否かを判定してもよい。コントローラ１１は、最初にモードが第２モードであると判定した場合には、そのまま処理を終了する。このとき、コントローラ１１は、モードが第２モードでない（通常モードである）と判定した場合に限って、ユーザの最後の操作から所定時間が経過したか否かの判定を実行してもよい。
【００５２】
上記の実施形態では、モードを第１モードまたは第２モードに設定する際に、タッチスクリーンによるユーザの接触操作の検出および近接センサ１８によるユーザのジェスチャ操作の検出の有効化、無効化が設定された（図５参照）。更に、モードに応じて画面をオフ状態にする（画面表示を中断する）機能の有効化、無効化が設定されてもよい。例えば、モードを第１モードに設定すると、連動して、画面表示を中断する機能が有効化されてもよい。また、例えば、モードを第２モードに設定すると、連動して、画面表示を中断する機能が無効化されてもよい。更に、モードに応じてセキュリティロック画面３０Ｃの表示機能の有効化、無効化が設定されてもよい。例えば、モードを第１モードに設定すると、連動して、セキュリティロック画面３０Ｃの表示機能が有効化されてもよい。また、例えば、モードを第２モードに設定すると、連動して、セキュリティロック画面３０Ｃの表示機能が無効化されてもよい。
【００５３】
上記の実施形態では、第２モード設定条件は、ユーザが電子機器１の設定画面で、モードを第１モード（通常モード）から第２モード（キッチンモード）に変更することであった。また、第２モード設定条件には、ユーザが第１モードでブラウザを起動して料理のレシピを表示させることも含まれた。ここで、第２モード設定条件は、更に特定のアプリケーションと関連付けられてもよい。例えば、レシピを表示するための専用アプリケーションが起動されることを、第２モード設定条件に含めてもよい。このとき、ユーザは専用アプリケーションを起動することで、自動的に電子機器１を第２モードで動作させることができる。そして、ユーザは専用アプリケーションの表示画面を常時オン状態で見ることが可能である。逆に、専用アプリケーションが独自に表示画面を常時オン状態とする機能を備える場合には、当該専用アプリケーションの起動を第２モード設定条件に含めないようにしてもよい。
【００５４】
本開示内容の多くの側面は、プログラム命令を実行可能なコンピュータシステムその他のハードウェアにより実行される、一連の動作として示される。コンピュータシステムその他のハードウェアには、例えば、汎用コンピュータ、ＰＣ（パーソナルコンピュータ）、専用コンピュータ、ワークステーション、ＰＣＳ（Personal Communications System、パーソナル移動通信システム）、移動（セルラー）電話機、データ処理機能を備えた移動電話機、ＲＦＩＤ受信機、ゲーム機、電子ノートパッド、ラップトップコンピュータ、ＧＰＳ（Global Positioning System）受信機またはその他のプログラム可能なデータ処理装置が含まれる。各実施形態では、種々の動作は、プログラム命令（ソフトウェア）で実装された専用回路（例えば、特定機能を実行するために相互接続された個別の論理ゲート）や、一以上のプロセッサにより実行される論理ブロックやプログラムモジュール等により実行されることに留意されたい。論理ブロックやプログラムモジュール等を実行する一以上のプロセッサには、例えば、一以上のマイクロプロセッサ、ＣＰＵ（中央演算処理ユニット）、ＡＳＩＣ（Application Specific Integrated Circuit）、ＤＳＰ（DigitalSignal Processor）、ＰＬＤ（Programmable Logic Device）、ＦＰＧＡ（Field Programmable Gate Array）、プロセッサ、コントローラ、マイクロコントローラ、マイクロプロセッサ、電子機器、ここに記載する機能を実行可能に設計されたその他の装置および／またはこれらいずれかの組合せが含まれる。ここに示す実施形態は、例えば、ハードウェア、ソフトウェア、ファームウェア、ミドルウェア、マイクロコードまたはこれらいずれかの組合せにより実装される。命令は、必要なタスクを実行するためのプログラムコードまたはコードセグメントであってもよい。そして、命令は、機械読取り可能な非一時的記憶媒体その他の媒体に格納することができる。コードセグメントは、手順、関数、サブプログラム、プログラム、ルーチン、サブルーチン、モジュール、ソフトウェアパッケージ、クラスまたは命令、データ構造もしくはプログラムステートメントのいずれかの任意の組合せを示すものであってもよい。コードセグメントは、他のコードセグメントまたはハードウェア回路と、情報、データ引数、変数または記憶内容の送信および／または受信を行い、これにより、コードセグメントが他のコードセグメントまたはハードウェア回路と接続される。
【００５５】
ここで用いられるストレージ１６は、さらに、ソリッドステートメモリ、磁気ディスクおよび光学ディスクの範疇で構成されるコンピュータ読取り可能な有形のキャリア（媒体）として構成することができる。かかる媒体には、ここに開示する技術をプロセッサに実行させるためのプログラムモジュール等のコンピュータ命令の適宜なセットや、データ構造が格納される。コンピュータ読取り可能な媒体には、一つ以上の配線を備えた電気的接続、磁気ディスク記憶媒体、磁気カセット、磁気テープ、その他の磁気および光学記憶装置（例えば、ＣＤ（Compact Disk）、レーザーディスク（登録商標）、ＤＶＤ（登録商標）（Digital Versatile Disc）、フロッピー（登録商標）ディスクおよびブルーレイディスク（登録商標))、可搬型コンピュータディスク、ＲＡＭ（Random AccessMemory）、ＲＯＭ（Read-Only Memory）、ＥＰＲＯＭ（Erasable Programmable Read-Only Memory）、ＥＥＰＲＯＭ（Electrically Erasable Programmable Read-Only Memory）もしくはフラッシュメモリ等の書換え可能でプログラム可能なＲＯＭもしくは情報を格納可能な他の有形の記憶媒体またはこれらいずれかの組合せが含まれる。メモリは、プロセッサ／プロセッシングユニットの内部および／または外部に設けることができる。ここで用いられるように、「メモリ」という語は、あらゆる種類の長期記憶用、短期記憶用、揮発性、不揮発性その他のメモリを意味する。つまり、「メモリ」は特定の種類や数に限定されない。また、記憶が格納される媒体の種類も限定されない。
【符号の説明】
【００５６】
１  電子機器
１１  コントローラ
１２  タイマー
１３  カメラ
１４  ディスプレイ
１５  マイク
１６  ストレージ
１７  通信ユニット
１８  近接センサ
１９  ＵＶセンサ
２０  照度センサ
２１  加速度センサ
２２  地磁気センサ
２３  気圧センサ
２４  ジャイロセンサ
３０Ａ，３０Ｂ  画面
３０Ｃ  セキュリティロック画面
【図１】
2018050175.tif 000003
【図２】
2018050175.tif 000004
【図３】
2018050175.tif 000005
【図４】
2018050175.tif 000006
【図５】
2018050175.tif 000007
【図６】
2018050175.tif 000008
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
近接センサと、ディスプレイと、前記ディスプレイの画面表示を制御するコントローラと、を備え、
前記コントローラは、
前記近接センサにより検出されたユーザの自機器に触れずに行うジェスチャ操作に基づいて処理をする所定のモードの場合に、前記ディスプレイの画面表示を常にオン状態にする、電子機器。
【請求項２】
前記コントローラは、
前記所定のモードであって、かつ、前記ユーザの最後の操作から所定時間が経過した場合に、前記ディスプレイの輝度を低下させる、請求項１に記載の電子機器。
【請求項３】
タッチパネルを備え、
前記ディスプレイは、タッチスクリーンと一体化されて前記タッチパネルを構成し、
前記コントローラは、
モードが前記所定のモードの場合に、前記タッチスクリーンによるユーザの接触操作の検出を無効にする、請求項１または２に記載の電子機器。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
近接センサと、タッチパネルと、ディスプレイと、前記ディスプレイの画面表示を制御するコントローラと、を備え、
前記コントローラは、
前記近接センサにより検出されたユーザの自機器に触れずに行うジェスチャ操作に基づいて処理をする所定のモードの場合は、前記ディスプレイの画面表示を常にオン状態にし、
前記コントローラは、
前記ジェスチャ操作に基づいて処理をする所定のモード以外のモードの場合は、前記タッチパネルに触れない状態が続くと、前記ディスプレイの画面表示をオフ状態にする、電子機器。
【請求項２】
前記コントローラは、
モードが前記所定のモードの場合に、前記タッチパネルによるユーザの接触操作の検出を無効にする、請求項１に記載の電子機器。